(57)【要約】【課題】  着座した人の身体の各部に１個の電磁石で順次磁力線を当てることによって、複数個の電磁石を使用せずに磁気による治療効果を上げることを可能とした椅子型磁気治療器。【解決手段】  椅子型磁気治療器は、椅子の背もたれ部内に該背もたれ部に沿った上下方向の枠５を備え、枠５の中央に両端を上下のフレーム５ａ、５ｂに軸支した送りねじ６を設置し、送りねじ６に箱型ナット８のナットを螺着し、該箱型ナット８の前面に電気磁気発生部９を取り付けるとともに、該電気磁気発生部９の両端部を枠５の左右のフレーム５ｃ、５ｄに沿ったスライド用ガイド５ｅで摺動自在に支持し、枠５の下フレーム５ｂから突出した送りねじ６の下端にプーリ１０を固定し、枠５のフレーム５ｄに取り付けたモータ１１の出力軸１１ａにプーリ１２を固定し、プーリ１０と１２の間にベルト１３を掛けまわした。【選択図】  図２
0003115326.tif 000002
【実用新案登録請求の範囲】
【請求項１】
椅子の背もたれ部内に、駆動手段によって背もたれ部に沿った上下方向に昇降自在な電磁石を設置したことを特徴とする椅子型磁気治療器。
【請求項２】
前記背もたれ部内に該背もたれ部に沿った上下方向の送りねじを軸支し、該送りねじに前記電磁石を螺着すると共に、該送りねじの一端に該送りねじを介して該電磁石を昇降するモータを結合したことを特徴とする請求項１記載の椅子型磁気治療器。
【考案の詳細な説明】
【技術分野】
【０００１】
本考案は、椅子の背もたれ部内に電気磁気発生部を設置した椅子型磁気治療器に関する。
【背景技術】
【０００２】
従来より、磁気を利用した治療器が種々提案されており、その一つに椅子型の磁気治療器が知られている。この磁気治療器は、椅子の主として背もたれ部内に磁石を設置して、磁石からの磁力線を椅子に着座した人の身体に背面から当てて、所要の治療効果をあげるようにしたもので、普通に椅子に座っているのと同じ感覚で治療を受けることができる利点がある。
【０００３】
従来、椅子型の磁気治療器において、治療効果を上げるために、永久磁石の代わりに、強い磁気を発生することができる電磁石を使用し、着座した人の肩や背中、腰などの身体各部に対応する位置に電磁石を設置するものが提案されている（例えば特許文献１を参照）が、１００ミリテスラ（１０００ガウス）もの強い磁気を発生する性能の電磁石は、価格が高価で複数個使用するには問題があった。
【特許文献１】再表９７／０２２３９３号公報
【考案の開示】
【考案が解決しようとする課題】
【０００４】
本考案の課題は、上記の問題点に鑑み、着座した人の肩や背中、腰などの身体各部に１個の電磁石で順次磁力線を当てることによって、複数個の電磁石を使用することなく磁気による治療効果を上げることを可能とした椅子型磁気治療器を提供することである。
【課題を解決するための手段】
【０００５】
上記課題を解決するために、本考案の椅子型磁気治療器は、椅子の背もたれ部内に、駆動手段によって背もたれ部に沿った上下方向に昇降自在な電磁石を設置したことを特徴とする。本考案によれば、前記背もたれ部内に該背もたれ部に沿った上下方向の送りねじを軸支し、該送りねじに前記電磁石を螺着すると共に、該送りねじの一端に該送りねじを介して該電磁石を昇降するモータを結合した。
【考案の効果】
【０００６】
本考案の椅子型磁気治療器によれば、駆動手段で電磁石を椅子の背もたれ部内で昇降することによって、着座した人の腰部から肩部までの身体各部に対応する位置に電磁石を順次位置させて、身体各部に電磁石からの磁力線を当てることができ、強い磁力を発生する電磁石１個で磁気による治療効果を上げることができる。そして電磁石を昇降する駆動手段を、電磁石を螺着した送りねじとこれを回転するモータとで構成した場合には、駆動手段を簡易で位置制御が容易なものとすることができる。
【考案を実施するための最良の形態】
【０００７】
以下、本考案の実施例を図面に基づいて説明する。図１は、本考案の椅子型磁気治療器の一実施例を示す斜視図、図２は、椅子の背もたれ部内に設置した磁気治療器本体を示す斜視図、図３は、同じく磁気治療器本体を背面側からみた斜視図である。
【０００８】
本実施例の椅子型磁気治療器１は、椅子２の傾斜した背もたれ部３内に磁気治療器本体４を設置してなっている。磁気治療器本体４は、背もたれ部３の背面の図示しない支持フレームに取り付けられた、背もたれ部３の上下方向に沿った傾斜配置の矩形の枠５を備える。この枠５の中央に両端を上下のフレーム５ａ、５ｂに軸受７ａ、７ｂで支持した送りねじ６を設置して、送りねじ６に箱型ナット８のナットを螺着するとともに、該箱型ナット８の前面に電気磁気発生部９を取り付け、該電気磁気発生部９の両端部を枠５の左右のフレーム５ｃ、５ｄに沿って設けたスライド用ガイド５ｅで摺動自在に支持して、背もたれ部３内に電気磁気発生部９を該背もたれ部３に沿った上下方向に昇降自在に設けた。
【０００９】
そして枠５の下フレーム５ｂから突出した送りねじ６の下端にプーリ１０を固定し、枠５の左右一方の例えば右のフレーム５ｄに取り付けたモータ１１の出力軸１１ａにプーリ１２を固定して、これらプーリ１０と１２の間にベルト１３を掛けまわし、電気磁気発生部９の駆動手段を構成した。駆動手段は、モータ１１を正逆に回転して、ベルト１３を介して送りねじ６を正逆に回転することにより、送りねじ６に箱型ナット８を介して螺着した電気磁気発生部９が送りねじ６上を移動し、背もたれ部３内を該背もたれ部３に沿って上下方向に昇降する。
【００１０】
電気磁気発生部９が座部１６に着座した人の肩、背中、腰に対応する位置で停止するように、枠５の左右一方の例えばモータ１１とは反対側のフレーム５ｃの上中下の位置に、リミットスイッチ７ａ、７ｂ、７ｃを設置している。電気磁気発生部９の幅方向の一端がリミットスイッチ７ａ、７ｂ、７ｃに接触すると、モータ１１の回転が停止され、電気磁気発生部９がその接触したリミットスイッチの位置、つまり身体の肩、背中または腰に対応した位置で停止し、再度移動させるまでその位置に保持されるようにしている。なお、電気磁気発生部９は、リミットスイッチに関係なく、任意の位置でモータ１１の回転を停止することにより停止することもできる。
【００１１】
電気磁気発生部９は、その左右方向に配置された鉄心にコイルを巻回した電磁石をプラスチックで扁平な角柱状に被覆してなっており、電磁石に図示しないリード線で接続された電源からの交流を通電することにより、磁極のＮ、Ｓが交互に変わる交流磁界が発生し、電気磁気発生部９の左右一方から空中に出て他方に向かう磁力線が交互に生じる。この電磁石は、磁気による治療効果を高めるために、例えば１００ミリテスラ（１０００ガウス）の強い磁力を発生する性能を有するものを使用する。
【００１２】
椅子２の脚部を兼ねた肘掛部のうちの一方の肘掛部１４の前面には、コントロールパネル１５を設置し、そこに組み込んだスイッチ類によって、座部１６に着座した人が電気磁気発生部９の磁力発生や昇降操作をできるようにしてある。コントロールパネル１５には、リミットスイッチ７ａ〜７ｃによる電気磁気発生部９の停止制御や図示しない安全装置の作動制御等を行う制御部その他が組み込まれている。
【００１３】
本考案の椅子型磁気治療器は、以上のように構成され、駆動手段によって椅子２の背もたれ部３内の電気磁気発生部９を昇降して、座部１６に着座した人の腰、背中、肩の各部に対応する位置に順次位置させることにより、電気磁気発生部９の電磁石からの磁力線を腰部、背中、肩部の各部に次々に当てることができ、強い磁力を発生する電磁石１個で磁気による治療効果を上げることができる。また電気磁気発生部９を昇降する駆動手段を、電気磁気発生部９を箱型ナット８を介して螺着した送りねじ６と、これを回転するモータ１１、ベルト１３等とで構成したので、駆動手段を簡易で位置制御が容易なものとすることができる。
【００１４】
以上の実施例では、本考案を脚部を有する椅子型の磁気治療器を例にとって説明したが、椅子型の磁気治療器は脚部のない座椅子型のものであっても良く、同様に本考案を適用して同様の効果を奏することができる。
【図面の簡単な説明】
【００１５】
【図１】本考案の椅子型磁気治療器の一実施例を示す斜視図である。
【図２】図１の椅子の背もたれ部内に設置した磁気治療器本体を示す斜視図である。
【図３】図１の椅子の背もたれ部内に設置した磁気治療器本体を背面側からみた斜視図である。
【符号の説明】
【００１６】
１    椅子型磁気治療器                ２    椅子
３    背もたれ部                      ４    磁気治療本体
５    枠                              ５ｅ  スライド用ガイド
６    送りねじ                        ８    箱型ナット
９    電気磁気発生部                  １０、１２  プーリ
１１  モータ                          １３  ベルト
１７ａ〜１７ｃ  リミットスイッチ
【図１】
0003115326.tif 000003
【図２】
0003115326.tif 000004
【図３】
0003115326.tif 000005